(57)【要約】【課題】板状の被締結体を確実に固定でき、薄型化が可能な締結構造を提供する。【解決手段】座金組み込み小ねじ１０は、小ねじ１１、ばね座金１２および平座金１３で構成しており、小ねじ１１の座面１１ａから不完全ねじ部１１ｂまでの円筒部１１ｃの外径１１ｄをねじの谷径１１ｅよりも小さく設定したので、円筒部１１ｃは雌ねじ内に入り込むため、被締結体の厚みに係わらず最後まで締め付けることができる。【選択図】図１ 
2005155818.tif 000002
【特許請求の範囲】
【請求項１】
ばね座金または平ワッシャ座金などの座金を小ねじに組み込んだ座金組み込み小ねじにおいて、前記小ねじは、座面から不完全ねじ部までの円筒部の外径をねじの谷径よりも小さく設定したことを特徴とする座金組み込み小ねじ。
【請求項２】
アース端子あるいは電源端子などの薄板状の被締結体を請求項１記載の座金組み込み小ねじで機器にねじ固定する締結構造。
【請求項３】
請求項２記載の締結構造を用いたモータあるいはモータ制御装置。
【発明の詳細な説明】
【技術分野】
【０００１】
本発明は、端子板などの薄板状の被締結体を確実にねじ固定できる座金組み込み小ねじおよびそれを用いた締結構造に関するものである。
【背景技術】
【０００２】
機器のアース端子や電源端子の固定に使用される座金組み込み小ねじについて説明する。図３において、小ねじ３１の座面３１ａから不完全ねじ部３１ｂまでの円筒部３１ｃの長さがばね座金３２と平座金３３の合計の厚みよりも大きく、円筒部３１ｃの直径３１ｄはねじの有効径とほぼ等しく、ねじの谷径３１ｅより大きく設定されている。
【０００３】
このため、薄板上の被締結体４１を締結体４２にねじ固定するとき、座金組み込み小ねじ３０の円筒部３１ｃが締結体４２に設けた雌ねじ４３と干渉して雌ねじ４３内に入らず、小ねじ３１の円筒部３１ｃの長さと座金の厚みとの差分だけ締結部間に隙間４４ができ、締結体４１を確実に固定することができない。
【０００４】
特に、電源端子など電力系の端子の固定が不完全になると接触状態も不安定となり、そこに大電流が流れると発熱する可能性があった。このため、被締結体の厚みが前述した差分よりも小さい（薄い）場合には、締結体の雌ねじ開口部に差分以上の面取りを施していた。
【０００５】
近年、機器の薄型化が要求されており、薄板状の端子を筐体などの薄肉部に固定しようとすると、雌ねじ開口部に面取りが必要となり、薄肉部においては有効ねじ山数が減少して、同じ締結力で締め付けることができず、不完全ねじ部を短くした小ねじによって薄板状の被締結体を締め付けていた。（例えば、特許文献１参照）
【特許文献１】特開昭５３−９９１５７号公報
【発明の開示】
【発明が解決しようとする課題】
【０００６】
解決しようとする問題点は、機器のさらなる薄型化が要求されるなか、丸端子などの薄板状の被締結体を確実に締結体にねじ固定することができず、締結構造を薄型化できない点である。
【０００７】
従来のように締結体に十分な厚みがあれば、隙間以上の面取りを施してもねじ強度を確保できるが、締結体の薄型化に加えて雌ねじの開口部に面取りを施すと有効ねじ山数が減少して、同じ締結力で締め付けるとねじ山が破損する可能性があった。
【０００８】
本発明は板状の被締結体を確実に固定でき、薄型化が可能な締結構造を提供することを目的とする。
【課題を解決するための手段】
【０００９】
上記の課題を解決するために本発明は、ばね座金または平座金などの座金を小ねじに組み込んだ座金組み込み小ねじにおいて、前記小ねじは、座面から不完全ねじ部までの円筒部の外径をねじの谷径よりも小さく設定したものである。
【００１０】
また、この座金組み込み小ねじを用いて、板状の被締結体を機器にねじ固定する締結構造である。
【発明の効果】
【００１１】
本発明の座金組み込み小ねじは、円筒部の外径をねじの谷径よりも小さく設定したので、薄板状の被締結体を確実に締結体にねじ固定することができる。また、雌ねじの開口部に面取りを設ける必要がなく有効ねじ山数を確保できるため締結構造の薄型化が可能となる。
【００１２】
また、アース線や電源リード線などを接続する電力部の接続構造を薄型化できるとともに良好な接触状態を確保できる。
【発明を実施するための最良の形態】
【００１３】
小ねじは、座面から不完全ねじ部までの円筒部の外径をねじの谷径よりも小さく設定して、ばね座金または平座金などの座金を小ねじに組み込んだ座金組み込み小ねじである。
【実施例１】
【００１４】
図１において、座金組み込み小ねじ１０は、小ねじ１１、ばね座金１２および平座金１３からなる座金とで構成しており、小ねじ１１の座面１１ａから不完全ねじ部１１ｂまでの円筒部１１ｃの外径１１ｄをねじの谷径１１ｅよりも小さく設定している。
【００１５】
通常、ばね座金１２を圧縮した状態で平座金１３の下面から不完全ねじ部１１ｂまで約１ｍｍ程度に設定されており、被締結体の厚みが０．４ｍｍ程度であれば、筐体などの締結体の設ける雌ねじの開口部に０．６ｍｍ以上の面取りを設ける必要があった。
【００１６】
しかしながら、本発明の小ねじ１１は、円筒部１１ｃの外径１１ｄをねじの谷径１１ｅよりも小さく設定したので、円筒部１１ｃは雌ねじ内に入り込むことができ、最後まで締め付けることができる。
【００１７】
図２において、被締結体である薄板の丸端子２１の外周部には、電源リード線２２（あるいはアース線）をカシメによって固定しており、丸端子２１を固定する締結体２３には座金組み込み小ねじ１０と螺合する雌ねじ２４を設けている。
【００１８】
座金組み込み小ねじ１０で丸端子２１を締結体２３にねじ固定する場合、円筒部の外径１１ｄは雌ねじ２４の山径よりも小さいため、小ねじ１１を締め込んでいくと円筒部１１ｃは雌ねじ２４の内部にまで入り込む。
【００１９】
このため、あえて雌ねじ２４の開口部に面取りを設ける必要がなく、薄肉の締結体２３であっても有効ねじ山数を確保でき、通常のねじ加工だけで確実なねじ固定ができる。
【００２０】
このように、丸端子２１の厚み２１ａに係わらず、ばね座金１２と平座金１３は確実に丸端子２１に接触した状態で締結体２３に固定できる。
【００２１】
なお、実施例１ではばね座金および平座金の２枚で説明したが、座金の形状や枚数に限定するものではなく、座金は１枚でもよく、波座金であっても同様に実施できる。また、被締結体は電源端子などの電力部に限定するものではなく、従来と同様のねじ締結構造にも使用できる。
【産業上の利用可能性】
【００２２】
本発明の座金組み込み小ねじは、薄板の端子を雌ねじの開口部に面取りを施すことなく確実にねじ固定できるので、締結構造の薄型化に有用である。
【図面の簡単な説明】
【００２３】
【図１】本発明の実施例１における座金組み込み小ねじの構造図
【図２】本発明の実施例１における締結構造の説明図
【図３】従来の一般的な座金組み込み小ねじを用いた締結構造の説明図
【符号の説明】
【００２４】
１０  座金組み込み小ねじ
１１  小ねじ
１１ａ  座面
１１ｂ  不完全ねじ部
１１ｃ  円筒部
１１ｄ  外径
１１ｅ  谷径
１２  ばね座金
１３  平座金
２１  丸端子（被締結体）
２２  電源リード線（またはアース線）
２３  締結体
２４  雌ねじ
【図１】
2005155818.tif 000003
【図２】
2005155818.tif 000004
【図３】
2005155818.tif 000005